(57)【要約】      （修正有）【課題】簡易な方法で効率的にダニを誘引して死滅させ、当該死滅させたダニの抗原を不活性化させるダニ取りマットを提供する。【解決手段】ダニ取りマット１０は、不織布層１２と、ダニの誘引剤２１、乾燥剤２２及びダニの抗原を変性させることにより生体の抗体との反応を不活性化させるダニの抗原の抗原不活性化剤２３を含有し、かつ不織布層の層内に配されている処理剤２０と、を有する。不織布層は、ダニが通過可能であり、かつ処理剤を捕捉可能な目の大きさを有する。【選択図】図２
0003225471.tif 000002
【実用新案登録請求の範囲】
【請求項１】
不織布層と、
ダニの誘引剤、乾燥剤及び前記ダニの抗原を変性させることにより生体の抗体との反応を不活性化させる前記ダニの抗原の抗原不活性化剤を含有し、かつ前記不織布層の層内に配されている処理剤と、を有し、
前記不織布層は、前記ダニが通過可能であり、かつ前記処理剤を捕捉可能な目の大きさを有することを特徴とするダニ取りマット。
【請求項２】
前記不織布層は、互いに対向して配されている一対の不織布によって構成され、
前記処理剤は、前記一対の不織布の間に配されていることを特徴とする請求項１に記載のダニ取りマット。
【請求項３】
前記不織布層は、一端に開口部を有する袋状の不織布によって構成され、
前記処理剤は、前記不織布層の前記袋に収容されていることを特徴とする請求項１に記載のダニ取りマット。
【請求項４】
前記ダニの誘引剤は、香料であることを特徴とする請求項１乃至３のいずれかに記載のダニ取りマット。
【請求項５】
前記乾燥剤は、Ｂ型シリカゲルであることを特徴とする請求項１乃至４のいずれかに記載のダニ取りマット。
【請求項６】
前記抗原不活性化剤は、タンニン酸であることを特徴とする請求項１乃至５のいずれかに記載のダニ取りマット。
【請求項７】
前記不織布層は、ニードルパンチ不織布からなることを特徴とする請求項１乃至６のいずれかに記載のダニ取りマット。
【請求項８】
前記処理剤を含む前記不織布層の外側面を覆う側地を有し、
前記側地は、前記ダニが通過可能であり、かつ前記処理剤を捕捉可能な目の大きさを有することを特徴とする請求項１乃至７のいずれかに記載のダニ取りマット。
【請求項９】
前記側地は、パイル地であることを特徴とする請求項８に記載のダニ取りマット。
【考案の詳細な説明】
【技術分野】
【０００１】
本考案は、ダニを誘引して捕獲するダニ取りマットに関する。
【背景技術】
【０００２】
従来、ダニの誘引剤及び殺ダニ剤を用いることにより、ダニを駆除することが行われている。例えば、特許文献１においては、毒性のない食餌性誘引物質と毒性のない臭香性誘引物質と毒性のない殺ダニ物質を混ぜて配合した誘引殺ダニ剤が開示されている。
【０００３】
また、ダニを致死させるとともに、健康に影響を及ぼすダニの抗原を不活性化又は低減することが行われている。例えば、特許文献２においては、ダニ誘引物質とダニのアレルゲンを不活性化あるいは低減する物質を封入した多孔性物質の混合物からなるダニ防除剤が開示されている。
【先行技術文献】
【特許文献】
【０００４】
【特許文献１】特開２００１−０８９３１０号公報
【特許文献２】特開２０１０−１８０１３０号公報
【考案の開示】
【考案が解決しようとする課題】
【０００５】
しかしながら、特許文献１においては、ダニを死滅させることはできるものの、ダニの抗原を不活性化させることができない問題がある。
【０００６】
また、特許文献２においては、ダニを駆除するにあたり吸引機で吸引駆除したり、箒で掃いたりする等の方法が用いられている。このため、ダニの駆除に大変手数がかかるという問題がある。
【０００７】
本考案は、上記問題に鑑みてなされたものであり、その目的は、簡易な方法で効率的にダニを誘引して死滅させ、当該死滅させたダニの抗原を不活性化させるダニ取りマットを提供することにある。
【課題を解決するための手段】
【０００８】
上記目的を達成するため、本考案のダニ取りマットは、不織布層と、ダニの誘引剤、乾燥剤及び前記ダニの抗原を変性させることにより生体の抗体との反応を不活性化させる前記ダニの抗原の抗原不活性化剤を含有し、かつ前記不織布層の層内に配されている処理剤と、を有し、前記不織布層は、前記ダニが通過可能であり、かつ前記処理剤を捕捉可能な目の大きさを有することを特徴とする。
【０００９】
本考案のダニ取りマットによれば、処理剤が不織布層の層内に配されていることによって、まず処理剤のダニの誘引剤がダニを不織布層の層内におびき寄せられる。ついで、処理剤の乾燥剤によって、ダニの体表面の水分が失われダニが死滅する。さらに、処理剤の抗原不活性化剤によって、死滅したダニの抗原が変性される。したがって、効率よくダニをおびき寄せた上でダニを死滅させることができ、当該ダニの死滅によって発生するダニの抗原を不活性化させることが可能となる。
【００１０】
本考案のダニ取りマットにおいては、前記不織布層は、互いに対向して配されている一対の不織布によって構成され、前記処理剤は、前記一対の不織布の間に配されているか、前記不織布層は、一端に開口部を有する袋状の不織布によって構成され、前記処理剤は、前記不織布層の前記袋に収容されているとよい。
【００１１】
このように、処理剤が配されていることによって、ダニの不織布層に対する侵入経路をより多くすることができる。例えば、処理剤が一方の表面側にのみに配されている場合、ダニは他方の表面側からは侵入しにくい。このように、一対の不織布の間に処理剤が配されていることによって、ダニが繊維に潜り込むという性質を活かしつつも、処理剤への侵入の経路を確保することが可能となる。
【００１２】
本考案のダニ取りマットにおいては、前記ダニの誘引剤は、香料であるとよい。ダニの誘引剤が香料であることにより、ヒトやペットに対して無害であり、かつダニを誘引することができる。
【００１３】
本考案のダニ取りマットにおいては、前記乾燥剤は、Ｂ型シリカゲルであるとよい。乾燥剤がＢ型シリカゲルであることにより、ヒトやペットに対して無害であり、かつダニを死滅させることができる。
【００１４】
本考案のダニ取りマットにおいては、前記抗原不活性化剤は、タンニン酸であるとよい。抗原不活性剤がタンニン酸であることにより、ヒトやペットに対して無害であり、かつダニの抗原を変性させることができる。
【００１５】
本考案のダニ取りマットにおいては、前記不織布層は、ニードルパンチ不織布からなることが好ましい。
【００１６】
本考案のダニ取りマットにおいては、前記処理剤を含む前記不織布層の外側面を覆う側地を有し、前記側地は、前記ダニが通過可能であり、かつ前記処理剤を捕捉可能な目の大きさを有するとよい。
【００１７】
本考案のダニ取りマットにおいては、前記側地は、パイル地であるとよい。
【考案の効果】
【００１８】
本考案のダニ取りマットによれば、簡易な方法で効率的にダニをおびき寄せた上でダニを死滅させることができ、当該ダニの死滅によって発生するダニの抗原を不活性化させることが可能となる。
【図面の簡単な説明】
【００１９】
【図１】実施例１に係るダニ取りマットの上面図である。
【図２】図１のＡ−Ａ線に沿った断面図である。
【図３】実施例２に係るダニ取りマットの断面図である。
【図４】変形例に係るダニ取りマットの断面図である。
【考案を実施するための形態】
【実施例１】
【００２０】
本考案のダニ取りマットの一実施形態を図面を参照して説明する。
【００２１】
図１は、実施例１に係るダニ取りマット１０の上面図である。図１に示すように、ダニ取りマット１０は、本実施例においては、上面視が矩形状に形成されている。尚、ダニ取りマット１０の上面視の形状は、矩形状に限られず、例えば、円状や多角形状であってもよい。
【００２２】
ダニ取りマット１０の表面は、側地１１が配されている。ダニ取りマット１０は、例えば、ラグや絨毯、敷布団等の敷物（図示せず）と建造物の床面（図示せず）との間、すなわち敷物の裏側に設けることが可能である。また、敷き布団や掛け布団とそれらのカバーとの間、枕と枕カバーとの間などに配置してもよい。
【００２３】
図２は、図１のＡ−Ａ線断面図である。図２に示すように、ダニ取りマット１０は、側地１１と、不織布層１２と、この不織布層１２の層内に配されている処理剤２０と、を有する。
【００２４】
不織布層１２は、本実施例においては、一対の不織布１２ａ、１２ｂによって構成されている。一対の不織布１２ａ、１２ｂは、互いに対向して配されている。すなわち、一対の不織布１２ａ、１２ｂは、互いに重なり合うように配されている。
【００２５】
一対の不織布１２ａ、１２ｂは、乾式法、湿式法、スパンボンド法、スパンレース法、サーマルボンド法、ニードルパンチ法等の、周知の方法で製造されたものである。
【００２６】
一対の不織布１２ａ、１２ｂは、ダニが通過可能であり、かつ処理剤２０を捕捉可能な目の大きさを有する。ダニの種類は、特には限られないが、例えば、ダニの死骸がヒトのアレルギー反応の原因となりうる種類のダニが通過可能に、一対の不織布１２ａ、１２ｂの目の大きさが形成されるとよい。
【００２７】
例えば、チリダニ科として代表的なヤケヒョウダニダニの大きさは、０．２〜０．４ｍｍ程度である。したがって、例えば、屋内塵性ダニ類のダニを補足する対象とする場合、一対の不織布１２ａ、１２ｂの目の大きさは、０．４ｍｍよりも大きくするとよい。また、一対の不織布１２ａ、１２ｂの目の大きさは、用いる処理剤２０の大きさに応じて小さくするとよい。
【００２８】
上記のような目の粗さとするため、不織布１２ａ、１２ｂのそれぞれの目付量は、１５０〜３００ｇ／ｍ２であることが好ましく、１８０〜２４０ｇ／ｍ２であることがより好ましい。また、不織布１２ａ、１２ａのそれぞれの厚さは、１〜４ｍｍとすることが好ましく、２〜３ｍｍとすることがより好ましい。
【００２９】
側地１１は、不織布層１２の外側面、すなわち不織布層１２の表面を覆うように設けられている。本実施例においては、側地１１は、一対の不織布１２ａ、１２ｂの外周面を覆うように２つの側地１１ａ、１１ｂが配されている。
【００３０】
２つの側地１１ａ、１１ｂは、互いに重なり合うように配され、かつ互いの端部を周方向に亘って縫い合わせられている。したがって、側地１１は、袋状に形成され、その内周面によって画定された収容空間を有する。一対の不織布１２ａ、１２ｂは、その収容空間に収容されている。
【００３１】
２つの側地１１ａ、１１ｂは、表面が加工されていてもよい。２つの側地１１ａ、１１ｂは、例えば、表面がパイル地となっている。パイル地は、ループパイルであっても、カットパイルのいずれであってもよい。
【００３２】
２つの側地１１ａ、１１ｂは、ダニが通過可能であり、かつ処理剤２０を捕捉可能な目の大きさを有する。２つの側地１１ａ、１１ｂの目の大きさは、一対の不織布１２ａ、１２ｂと同様に設定するとよい。
【００３３】
２つの側地１１ａ、１１ｂのそれぞれの目付量は、１５０〜３００ｇ／ｍ２であることが好ましく、１８０〜２４０ｇ／ｍ２であることがより好ましい。また、側地１１ａ、１１ｂのそれぞれの厚さは、１〜３ｍｍとすることが好ましく、１〜２ｍｍとすることがより好ましい。
【００３４】
処理剤２０は、ダニの誘引剤２１、乾燥剤２２及びダニの抗原を変性させることにより生体の抗体との反応を不活性化させるダニの抗原の抗原不活性化剤２３を含有する。
【００３５】
ダニの誘引剤２１としては、例えば、食品添加物を用いることができる。ダニの誘引剤２１は、腐敗しにくいものがよい。腐敗しにくい食品添加物としては、例えば、香料が挙げられる。香料としては、ダニの誘引効果があるものであればよく、例えば、バニラ、ナッツ、バター等の飲食品の香料を用いることができる。
【００３６】
乾燥剤２２としては、例えば、シリカゲル、ゼオライト、珪藻土、生石灰（酸化カルシウム）、クレイ系乾燥剤、塩化カルシウム系乾燥剤、塩化マグネシウム、活性炭の群から選択された１者又は２者以上が使用できる。また乾燥剤２２の形状は、球状、粉末状、鱗片状、棒状のいずれでも良く、形状の異なる乾燥剤２２を２種以上混合させて用いても良い。尚、乾燥剤２２は、ダニの誘引剤２１と同程度の量が処理剤２０に含まれていることが好ましい。乾燥剤２２が誘引剤２１よりも多くなると、乾燥剤２２の周囲の空気を乾燥させ、ダニの忌避につながる恐れがあるためである。
【００３７】
尚、ゼオライトは、合成ゼオライト、人工ゼオライト又は天然ゼオライトのいずれであってもよいし、これらを組み合わせて用いてもよい。また、ゼオライトには、例えば、モレキュラーシーブ系の乾燥剤も含まれている。
【００３８】
また、クレイ系乾燥剤は、例えば、モンモリロナイトが挙げられる。塩化カルシウム系乾燥剤は、例えば、無水塩化カルシウムや塩化カルシウム１水和物などを利用するものが挙げられる。
【００３９】
シリカゲルは、Ａ型シリカゲル又はＢ型シリカゲルのどちらを用いてもよい。尚、乾燥剤２２にＢ型シリカゲルを用いた場合、常温で吸湿及び放湿することができるため、ダニ取りマット１０の耐用期間を長くすることが可能となる。
【００４０】
抗原不活性化剤２３は、例えば、天然由来のポリフェノール類を含んだものでもよい。天然由来のポリフェノール類としては、例えば、カテキン、アントシアニン、タンニン酸、ルチン、イソフラボン、クロロゲン酸、エラグ酸、リグナン、クルクミン、クマリンなどが挙げられる。また、抗原不活性化剤２３は、酸化チタン、ハイドロキシアパタイト、銀等の無機化合物によって構成されるものであってもよい。尚、抗原不活性化剤２３は、ダニの誘引剤２１及び乾燥剤２２の合計量に対して１０〜３０％が処理剤２０中に含まれるとよい。
【００４１】
このようなダニの誘引剤２１、乾燥剤２２及び抗原不活性化剤２３を用いて処理剤２０を構成することにより、ヒトやペットに対して無害なダニ取りマット１０を提供することが可能となる。
【００４２】
尚、ダニ取りマット１０は、上述の通り敷物（図示せず）の裏側に配することが可能である。このためダニ取りマット１０の厚さは、可能な限り薄い方がよい。ダニ取りマット１０の厚さを可能な限り薄くすることで、敷物の凹凸感を低減し、ヒトが敷物につまずくことを防止することができる。
【００４３】
また、ダニ取りマット１０の不織布層１２の厚さは、側地１１よりも厚くするとよい。不織布層１２の厚さが側地１１よりも厚くすることで、ダニが潜り込むという性質を活かしつつ、処理剤２０を保持可能な生地厚さを確保することが可能となる。
【００４４】
ダニ取りマット１０全体の厚さは、特には限定されないが、４〜８ｍｍが好ましく、５〜６ｍｍがより好ましい。
【００４５】
また、ダニ取りマット１０の不織布層１２の厚さと、側地１１の厚さとの比は、８：１〜４：６が好ましく、４：１〜４：３がより好ましい。
【００４６】
好ましい一例を挙げると、ダニ取りマット１０の厚さを６ｍｍとした場合、不織布層１２の厚さを４ｍｍ程度とし、側地１１の厚さを１ｍｍ程度とするとよい。
【００４７】
以上で説明した本実施例に係るダニ取りマット１０は、次のようにして製造することができる。
【００４８】
すなわち、不織布層１２の層内に処理剤２０を配置する。具体的には、一対の不織布１２ａ、１２ｂのうち、一方の不織布１２ａの表面に処理剤２０を散布する。一方の不織布１２ａの処理剤２０が散布された表面を覆うように他方の不織布１２ｂを重ねる。
【００４９】
次いで、２つの側地１１ａ、１１ｂを不織布層１２の表面を覆うように配置し、２つの側地１１ａ、１１ｂを縫い合わせる。具体的には、ミシン等の縫製機器によって、２つの側地１１ａ、１１ｂの端部同士を縫い合わせ、２つの側地１１ａ、１１ｂの間に不織布層１２を収容する。
【００５０】
尚、本実施例においては、不織布層１２の外側にパイル地１１を設けたが、パイル地１１を設けずに実施してもよい。すなわち、ダニが処理剤２０に向かって移動可能な目の大きさを有している生地でればよく、例えば、不織布層１２よりも目が細かい不織布を側地１１の代わりに設けてもよい。
【００５１】
以上のように本考案のダニ取りマット１０によれば、処理剤２０が不織布層１２の層内に配されていることによって、まず処理剤２０のダニの誘引剤２１により、ダニが不織布層の層内におびき寄せられる。ついで、処理剤２０の乾燥剤２２によって、ダニの体表面の水分が失われダニが死滅する。さらに、処理剤２０の抗原不活性化剤２３によって、死滅したダニの抗原が変性される。
【００５２】
したがって、ダニ取りマット１０は、効率よくダニをおびき寄せた上でダニを死滅させることができ、当該ダニの死滅によって発生するダニの抗原を不活性化させることが可能となる。
【実施例２】
【００５３】
実施例２に係るダニ取りマット１０を説明する。実施例２に係るダニ取りマット１０は、不織布層１２の構成が実施例１に係るダニ取りマット１０とは異なる。尚、実施例１のダニ取りマット１０と同一の構成については、同一の符号を付すことにより、説明を省略する。
【００５４】
図３は、実施例２に係るダニ取りマット１０の断面図である。図３に示すように、不織布層１２は、一端に開口部ＡＰ１を有する袋状の不織布１２ｃによって構成されている。すなわち、不織布１２ｃは、一端から他端にかけて当該袋の内周面によって画定されている収容空間を有する。処理剤２０は、不織布層１２の袋の内部、すなわち収容空間に収容されている。
【００５５】
以上で説明した本実施例に係るダニ取りマット１０は、次のようにして製造することができる。
【００５６】
すなわち、不織布層１２の層内に処理剤２０を配置する。具体的には、不織布１２ｃの開口部ＡＰ１から不織布１２ｃの収容空間に処理剤２０を散布する。次いで、開口部ＡＰ１を塞ぐようにミシン等の縫製機器によって不織布１２ｃを縫製する。
【００５７】
次いで、２つの側地１１ａ、１１ｂを不織布層１２の表面を覆うように配置し、２つの側地１１ａ、１１ｂを縫い合わせる。具体的には、ミシン等の縫製機器によって、２つの側地１１ａ、１１ｂの端部同士を縫い合わせ、２つの側地１１ａ、１１ｂの間に不織布層１２を収容する。
【００５８】
以上のように、本実施例に係るダニ取りマット１０によれば、実施例１に係るダニ取りマット１０と同様に、効率よくダニをおびき寄せた上でダニを死滅させることができ、当該ダニの死滅によって発生するダニの抗原を不活性化させることが可能となる。
【００５９】
［変形例］
上述の実施例においては、側地１１は、２つのパイル地によって構成されているものであった。しかし、側地１１は、１のパイル地によって構成されているようにしてもよい。
【００６０】
図４は、変形例に係るダニ取りマット１０の断面図を示している。図４に示すように、側地１１は、１のパイル地１１ｃによって構成されている。すなわち、パイル地１１は、１のパイル地１１ｃによって構成されている。
【００６１】
パイル地１１は、一端に開口部ＡＰ２を有する袋状の側地１１ｃによって構成されている。すなわち、パイル地１１ｃは、一端から他端にかけて当該袋の内周面によって画定されている収容空間を有する。不織布層１２は、側地１１の袋の内部、すなわち収容空間に収容されている。尚、パイル地１１ｃは、開口部ＡＰ２を塞ぐようにミシン等の縫製機器によって縫製されている。
【００６２】
このように、側地１１を形成しても、効率よくダニをおびき寄せた上でダニを死滅させることができ、当該ダニの死滅によって発生するダニの抗原を不活性化させることが可能となる。
【００６３】
［試験例１］（ダニ取りマットのヤケヒョウダニに対する誘引性試験）
（試験の概要）
図１及び図２に示すダニ取りマット１０を用いて以下の試験を行った。具体的には、ダニ取りマット１０は、縦２１ｃｍ×３０ｃｍ×厚さ０．８ｃｍのサイズを有するものを用いた。
【００６４】
側地１１は、ポリエステル繊維を用いたループパイル地で構成されたもの用いた。２つの側地１１ａ、１１ｂの各々の厚さは１ｍｍとした。不織布層１２の厚さは６ｍｍとした。
【００６５】
一対の不織布１２ａ、１２ｂは、ポリエステル繊維のニードルパンチ不織布を用いた。一対の不織布１２ａ、１２ｂの各々の厚さは３ｍｍとした。一対の不織布１２ａ、１２ｂの各々の目付量は、２４０ｇ／ｍ２  とした。
【００６６】
処理剤２０の誘引剤２１は、食品添加物及びナッツ、バニラ並びにバターの香料を含んだものを用いた。処理剤２０の乾燥剤２２は、Ｂ型シリカゲルを用いた。  
【００６７】
試験の床材には、４５×１００ｃｍのクッションフロアを用いた。試験は、生存しているヤケヒョウダニの３００００個体に相当する培地を床材の一端に直径３ｃｍの円形に散布し、ダニの培地を散布した位置から６０ｃｍ離れた場所にダニ取りマットを配置して行った。
【００６８】
これを暗室内に７日間静置し、７日後のダニ取りマットに潜伏しているヤケヒョウダニの数を計測した。
【００６９】
尚、床材には、ヤケヒョウダニの這い出しを防止するために周囲に３ｃｍ幅の両面粘着テープを貼付した。
【００７０】
試験の結果を表１に示す。
【００７１】
【表１】
0003225471.tif 000003
【００７２】
表１に示すように、ダニ取りマットには、合計３７４２匹のダニが誘引され、そのうちの２５１３匹がダニ取りマット内で死亡していることが確認できた。
【００７３】
［試験例２］（誘引剤のヤケヒョウダニに対する誘引性試験）
（試験の概要）
図１及び図２に示すダニ取りマット１０の誘引剤を用いた。誘引剤は、食品添加物及びナッツ並びにバターの香料を含んだものを用いた。
ＪＩＳ−Ｌ−１９２０に規定されている繊維製品の防ダニ性能試験方法侵入阻止法忌避試験に準じて行った。具体的には、誘引剤（試料）を敷き込んだ内径４．１６ｃｍ、深さ１．６ｃｍのガラスシャーレ（小シャーレ）を直径９ｃｍのガラスシャーレ（大シャーレ）の中央に配置し、生存しているヤケヒョウダニ３００００個体分のダニの培地を大シャーレと小シャーレの間、すなわち大シャーレと小シャーレの接触面に均一に広げた。
【００７４】
これを暗室内に静置し、静置から２４時間後に小シャーレに移動したダニの数を観察した。暗室内の環境は、２０℃とし、湿度が６０％以上となるように調整した。
【００７５】
小シャーレには、綿布（かなきん）を敷き込み、綿布の上に試料を均一になるように散布した。
【００７６】
試験条件は、１つのダニ取りマットに配合され得る量に基づいて、面積に応じた量で行った。また、誘引剤なしの場合は、綿布のみとした。また、同一の試験を３回行い、平均をとり、ヤケヒョウダニの行動の傾向を評価した。
【００７７】
試験の結果を表２に示す。
【００７８】
【表２】
0003225471.tif 000004
【００７９】
表２に示すように、誘引剤なしの場合と比べて、誘引剤を用いた場合の方が、ヤケヒョウダニが多く集まる傾向にあった。また、誘引剤の量の増加に伴って誘引されるダニの量も増加する傾向がみられた。このように、本考案で用いる誘引剤は、ヤケヒョウダニの誘引効果があることが示された。
【００８０】
［試験例３］（不織布層のヤケヒョウダニの通過試験）
（試験の概要）
図１及び図２に示す一対の不織布１２ａ、１２ｂのうちの一方の不織布１２ａを用いた。不織布１２ａは、ポリエステル繊維のニードルパンチ不織布とした。その厚さは３ｍｍとした。一対の不織布１２ａ、１２ｂの各々の目付量は、２４０ｇ／ｍ２  とした。
【００８１】
１０×２０ｃｍの不織布を用意し、これを二つ折りにした。折り目のついていない２辺をポリシーラで溶着し、不織布を袋状とした。この袋内に生存するヤケヒョウダニ１００００個体に相当するダニの培地を入れ、溶着がなされていない１辺をポリシーラで溶着した。これを２５℃の暗室に静置した。静置から２４時間後に不織布を通過し、不織布の袋の外側に出たダニを観察した。
【００８２】
尚、ダニの培地には、成虫のヤケヒョウダニのメス、成虫のヤケヒョウダニのオス、ヤケヒョウダニの若虫及びヤケヒョウダニの幼虫が含まれていた。また、同一の試験を３回行い、再現性を評価した。
【００８３】
試験の結果を表３に示す。
【表３】
0003225471.tif 000005
【００８４】
表３に示すように、３回の試験において、いずれも成虫のヤケヒョウダニのメス、成虫のヤケヒョウダニのオス、ヤケヒョウダニの若虫及びヤケヒョウダニの幼虫のすべてが、不織布を通過していることが観察された。このように、本考案で用いる不織布層１２は、ヤケヒョウダニが通過する目の大きさを有することが示された。
【符号の説明】
【００８５】
１０  ダニ取りマット
１１  側地
１１ａ、１１ｂ、１１ｃ  側地
１２  不織布層
１２ａ、１２ｂ、１２ｃ  不織布
２０  処理剤
２１  誘引剤
２２  乾燥剤
２３  抗原不活性化剤
ＡＰ１  不織布層の開口部
ＡＰ２  側地の開口部
【図１】
0003225471.tif 000006
【図２】
0003225471.tif 000007
【図３】
0003225471.tif 000008
【図４】
0003225471.tif 000009